(57)【要約】【課題】肘掛けパッド全体の弾力性を向上させ、快適な肘当て感が得られるとともに、肘掛けパッドを肘掛基板に容易に取付けうるようにする。【解決手段】肘掛けパッド１８を、平板状の芯材１９と、その上面を覆うクッション材２０と、このクッション材２０の上面と芯材１９とクッション材２０との外周面及び芯材１９の周端部下面を覆う弾性を有する表装材２１とを備えるものとし、この表装材２１の下端の周縁部を、肘掛基板１７の外周縁に設けた上向きの縁片２４の上端と、芯材１９の周端部下面とにより上下から挟持するようにして、肘掛基板１７の上面に肘掛けパッド１８を取付ける。【選択図】  図５
2008194127.tif 000002
【特許請求の範囲】
【請求項１】
肘掛支持杆の上端に設けた肘掛基板の上面に、肘掛けパッドを取付けてなる椅子の肘掛け装置において、
前記肘掛けパッドを、平板状の芯材と、その上面を覆うクッション材と、このクッション材の上面と前記芯材とクッション材との外周面及び芯材の周端部下面を覆う弾性を有する表装材とを備えるものとし、この表装材の下端の周縁部を、前記肘掛基板の外周縁に設けた上向きの縁片の上端と、前記芯材の周端部下面とにより上下から挟持するようにして、肘掛基板の上面に肘掛けパッドを取付けたことを特徴とする椅子の肘掛け装置。
【請求項２】
表装材の下端の周端縁に垂下片を連設し、この垂下片を、肘掛基板における縁片より内方の外周部上面に設けた、上方に開口する凹溝に嵌合してなる請求項１記載の椅子の肘掛け装置。
【請求項３】
芯材を、弾性変形可能な軟質合成樹脂材により、クッション材を、発泡樹脂により、表装材を、エラストマーにより、それぞれ形成してなる請求項１または２記載の椅子の肘掛け装置。
【請求項４】
肘掛基板の周端部上面に、起立片を設け、この起立片に、芯材の外周縁に設けた下向片を外嵌してなる請求項１〜３のいずれかに記載の椅子の肘掛け装置。
【請求項５】
肘掛基板の起立片の外周面に、複数の係合孔を設け、この係合孔に、芯材の下向片の内周面に設けた係合爪を弾性係合させることにより、肘掛基板に肘掛けパッドを取付けてなる請求項４記載の椅子の肘掛け装置。
【請求項６】
起立片の外周面における係合孔の上部に、外面が斜め内向き上方に向かって傾斜するガイド溝を設けてなる請求項４または５記載の椅子の肘掛け装置。
【発明の詳細な説明】
【技術分野】
【０００１】
本発明は、肘掛支持杆の上端に設けられた肘掛基板の上面に、肘掛けパッドを取付けてなる椅子の肘掛け装置に関する。
【背景技術】
【０００２】
この種の従来の肘掛け装置としては、例えば特許文献１及び２に記載されているものがある。
【特許文献１】特開２０００−３３３７７６号公報
【特許文献２】特開２００５−１３１２３９号公報
【発明の開示】
【発明が解決しようとする課題】
【０００３】
上記特許文献１及び２に記載されている肘掛け装置においては、いずれも、肘掛基板の上部に取付けられた肘掛けパッドが、多数の開口を有する硬質合成樹脂製芯材と、この上面を覆うようにして、芯材に一体的にインサート成形された軟質合成樹脂よりなる表装材とにより形成されているため、肘掛けパッドの上面に肘を当てた際の弾力性にやや欠ける。
【０００４】
また、肘掛けパッドを、肘掛基板に、複数のねじにより固定しているので、肘掛けパッドにおけるねじの固定部が、局部的に弾性変形するのが妨げられ、均一な弾力性が得られないだけでなく、組立も面倒である。
【０００５】
本発明は、上記問題点に鑑みてなされたもので、肘掛けパッド全体の弾力性を向上させ、快適な肘当て感が得られるとともに、肘掛けパッドを、肘掛基板に容易に取付けうるようにした椅子の肘掛け装置を提供することを目的としている。
【課題を解決するための手段】
【０００６】
本発明によると、上記課題は、次のようにして解決される。
（１）肘掛支持杆の上端に設けた肘掛基板の上面に、肘掛けパッドを取付けてなる椅子の肘掛け装置において、前記肘掛けパッドを、平板状の芯材と、その上面を覆うクッション材と、このクッション材の上面と前記芯材とクッション材との外周面及び芯材の周端部下面を覆う弾性を有する表装材とを備えるものとし、この表装材の下端の周縁部を、前記肘掛基板の外周縁に設けた上向きの縁片の上端と、前記芯材の周端部下面とにより上下から挟持するようにして、肘掛基板の上面に肘掛けパッドを取付ける。
【０００７】
（２）上記(１)項において、表装材の下端の周端縁に垂下片を連設し、この垂下片を、肘掛基板における縁片より内方の外周部上面に設けた、上方に開口する凹溝に嵌合する。
【０００８】
（３）上記(１)または(２)項において、芯材を、弾性変形可能な軟質合成樹脂材により、クッション材を、発泡樹脂により、表装材を、エラストマーにより、それぞれ形成する。
【０００９】
（４）上記(１)〜(３)項のいずれかにおいて、肘掛基板の周端部上面に、起立片を設け、この起立片に、芯材の外周縁に設けた下向片を外嵌する。
【００１０】
（５）上記(４)項において、肘掛基板の起立片の外周面に、複数の係合孔を設け、この係合孔に、芯材の下向片の内周面に設けた係合爪を弾性係合させることにより、肘掛基板に肘掛けパッドを取付ける。
【００１１】
（６）上記(４)または(５)項において、起立片の外周面における係合孔の上部に、外面が斜め内向き上方に向かって傾斜するガイド溝を設ける。
【発明の効果】
【００１２】
請求項１記載の発明によれば、肘掛けパッドを、芯材と、クッション材と、弾性を有する表装材とを備えるものとしたので、肘掛けパッド全体の弾力性が向上し、快適な肘当て感を得ることができる。
また、表装材の下端の周縁部が、肘掛基板の外周縁に設けた縁片と芯材の周端部下面とにより上下から挟持されているので、表装材が肘掛基板より外れる恐れはない。
【００１３】
請求項２記載の発明によれば、表装材の周端縁に設けた垂下片が、肘掛基板の外周部上面の凹溝に嵌合されているので、表装材が肘掛基板より、より外れにくくなる。
【００１４】
請求項３記載の発明によれば、クッション材及び表装材が下方に撓み易くなるとともに、芯材も下方に適度に弾性変形するので、より快適な肘当て感が得られる。
【００１５】
請求項４記載の発明によれば、肘掛基板の起立片に、芯材の下向片が外嵌されているので、肘掛けパッドに横方向の強い力が加わっても、肘掛基板に対しがたついたり、位置ずれしたりすることがない。
【００１６】
請求項５記載の発明によれば、芯材の下向片を肘掛基板の起立片に上方から外嵌するだけで、係合爪が係合孔に弾性係合して、肘掛けパッドが上方に抜け外れるのが防止されるので、ねじ等の固定手段を用いる必要がなく、部品点数を少なくしうるとともに、肘掛けパッドの肘掛基板への取付作業が容易となる。
【００１７】
請求項６記載の発明によれば、係合爪がガイド溝に案内されながら、係合孔に弾性係合するので、肘掛けパッドを、肘掛基板に、上方より容易に取付けることができる。
【発明を実施するための最良の形態】
【００１８】
以下、本発明の実施形態を、図面に基づいて説明する。
図１は、本発明の肘掛け装置の一実施形態を備える椅子の斜視図、図２は、同じく側面図である。
この椅子１は、脚体２と、その上部に設けられた座体３と、背凭れ４と、左右１対の肘掛け装置５とを備えている。
【００１９】
脚体２は、先端にキャスタ６が取付けられた放射状をなす５本の脚杆７と、それらの中心に立設され、内部に収容されたガススプリング(図示略)により伸縮可能な脚柱８と、その上端に後端部が固着された支基９とからなっている。
【００２０】
背凭れ４は、背凭れ支持フレーム１０と、その前面上部に取付けられた背当て１１とからなり、背凭れ支持フレーム１０における下端部の左右１対の前方を向く支持アーム１０aの前端部が、支基９における後端部の左右両側部に、左右方向を向く枢軸１２により回動可能に枢着されている。
【００２１】
枢軸１２は、支基９の内部に設けられた前向付勢手段に連係され、この前向付勢手段により、背凭れ支持フレーム１０は、常時起立する方向に付勢され、かつ付勢手段に抗して後傾させうるようになっている。
【００２２】
座体３の前部は、支基９の前端部の両側部に下端が枢着された左右１対の座支持アーム１３により、同じく後部は、背凭れ支持フレーム１０の左右の支持アーム１０aの上部により、それぞれ支持されている。
【００２３】
肘掛け装置５は、座体３の側部下面に固着することにより、座体３の側方より若干前傾姿勢で起立するようにした肘掛支持筒１４と、この内部に、図示しない高さ調節装置をもって、高さ調節可能かつ上下方向に摺動可能に嵌合された肘掛支持杆１５と、この肘掛支持杆１５の上面に取付けられた前後方向を向く肘掛け１６とを備えている。
【００２４】
図３〜図６に示すように、肘掛け１６は、硬質合成樹脂よりなる前後方向に長い水平板状の肘掛基板１７と、その上面を覆う肘掛けパッド１８とを備えている。
肘掛けパッド１８は、肘掛基板１７とほぼ同じ大きさの弾性変形可能な軟質合成樹脂製の芯材１９と、これと同じ大きさの発泡ポリウレタンまたは発泡ポリエチレン等の発泡樹脂からなる所要厚さ(例えば５MM前後)のクッション材２０と、その上面を覆う、クッション材２０よりも薄肉で、かつ適度の弾性を有するウレタン系エラストマーよりなるドーム状の表装材２１とからなっている。
【００２５】
肘掛基板１７の前部側の上面には、前後方向および左右方向を向く複数のリブ２２が設けられている。
また、肘掛基板１７の周縁部上面には、起立片２３と斜め上方に拡開する短寸の縁片２４とが連設され、それらの間には、Ｖ字状断面の凹溝２５が、周方向に連続して形成されている。
起立片２３の周囲の複数箇所には、内外に連通する係合孔２６が設けられている。
【００２６】
芯材１９の外周縁には、肘掛基板１７の起立片２３に外嵌される下向片２７が連設され、この下向片２７の内周面には、上記各係合孔２６に係合可能な複数の係合爪２８が内向きに突設されている。
上記起立片２３の外周面における各係合孔２６の上部には、係合爪２８をガイドすることにより、係合孔２６に上方より容易に係合させるための、外面が斜め内向き上方に傾斜するガイド溝２９が形成されている。
【００２７】
芯材１９の周縁部上面における前後両端の中央部には、クッション材２０の前後両端の中央部に形成された切欠溝３０、３０が嵌合することにより、クッション材２０の前後左右の位置決めをする突部３１、３１が上向きに突設されている。
芯材１９の周縁部には、その型抜きを容易とするためと、周縁部を除く芯材１９の中央部が下方に撓み易くするための開口３２が、上方に開口するようにして多数設けられている。
【００２８】
表装材２１の外周縁には、芯材１９とクッション材２０の外周面を覆うカバー片３３が、その外周面と肘掛基板１７の縁片２４の外周面とが連続するように、斜め内向き下方に向かって折曲形成されている。カバー片３３の下端には、芯材１９の周端部下面を覆う内向折曲片３３aと、その内端より垂下する垂下片３３bとが一体的に連設されている。
【００２９】
肘掛基板１７は、その後端部下面が、肘掛支持杆１５の上端に、垂直軸回りに回動可能、かつ前後位置調節可能として取付けられている。なお、肘掛基板１７の回動機構や前後位置調節機構等は、本発明と直接関係しないので、それらの詳細な説明は省略する。
【００３０】
肘掛け１６を組み付けるには、まず芯材１９の上面に、クッション材２０を位置決めして載置したのち、これらに、表装材２１を、そのカバー片３３を外方に弾性変形させるようにして被せる。すると、芯材１９における下向片２７の下面が、カバー片３３内において、その内向折曲片３３aの上面に当接することにより、芯材１９とクッション材２０は、クッション材２０の上面が表装材２１の下面に当接した状態で、表装材２１の内部に保持され、肘掛けパッド１８が形成される(図４参照)。
【００３１】
ついで、芯材１９の下向片２７を肘掛基板１７の上面の起立片２３に外嵌するようにして、肘掛けパッド１８を肘掛基板１７に被せ、強めに押圧する。すると、芯材１９の下向片２７に突設した複数の係合爪２８が、肘掛基板１７の起立片２３に設けたガイド溝２９の外面に摺接しながら案内されることにより、下向片２７が外方に弾性変形させられ、さらに肘掛けパッド１８を押圧すると、係合爪２８が係合孔２６に弾性係合する。
これにより、肘掛けパッド１８は、肘掛基板１７の上面に、上方に抜け外れるのが防止されて取付けられる。
【００３２】
この際、表装材２１のカバー片３３の下端に連設された垂下片３３bが、肘掛基板１７のＶ字状断面の凹溝２５に嵌合されるとともに、内向折曲片３３aの下面が、肘掛基板１７の縁片２４の上面に圧接し、この縁片２４と、芯材１９の下向片２７の下面とにより上下方向から挟持されることにより、表装材２１の端末部、すなわちカバー片３３の下端部が肘掛基板１７に強固に止着され、抜け外れる恐れがない。
【００３３】
肘掛けパッド１８の取付後において、その芯材１９の下面と肘掛基板１７の上面との間には、空間が形成され、かつリブ２２の上端とも離間するようにしてあるので、肘掛け１６の上面に強く肘を当てた際、芯材１９が下方に弾性変形することができる。
【００３４】
以上説明したように、上記実施形態の肘掛け装置５においては、肘掛けパッド１８を、軟質合成樹脂製の芯材１９と、その上面を覆う発泡ポリウレタン等のクッション材２０と、これを覆う弾性を有するエラストマーよりなる表装材２１との３部材により形成し、これらを一体に組付けて肘掛基板１７の上面に取付けたことにより、肘掛けパッド１８全体の弾力性が向上し、その上面に肘を掛けた際に快適な肘当て感が得られる。
【００３５】
また、芯材１９に設けた複数の係合爪２８を、肘掛基板１７に設けた係合孔２６に弾性係合させるのみで、肘掛けパッド１８を、肘掛基板１７に強固に取付けることができるので、ねじ等の固定手段が不要となり、部品点数が少なくなるとともに、取付作業が容易となる。
【図面の簡単な説明】
【００３６】
【図１】本発明の肘掛け装置の一実施形態を備える椅子の斜視図である。
【図２】同じく、側面図である。
【図３】同じく、肘掛け装置の要部の分解斜視図である。
【図４】同じく、肘掛けパッドを形成した状態の斜視図である。
【図５】同じく、芯材の係合爪と肘掛基板の係合孔との係合部の拡大縦断後面図である。
【図６】同じく、肘掛けパッド組付時における肘掛け全体の拡大中央縦断側面図である。
【符号の説明】
【００３７】
１    椅子
２    脚体
３    座体
４    背凭れ
５    肘掛け装置
６    キャスタ
７    脚杆
８    脚柱
９    支基
１０  背凭れ支持フレーム
１０a 支持アーム
１１  背当て
１２  枢軸
１３  座支持アーム
１４  肘掛支持筒
１５  肘掛支持杆
１６  肘掛け
１７  肘掛基板
１８  肘掛けパッド
１９  芯材
２０  クッション材
２１  表装材
２２  リブ
２３  起立片
２４  縁片
２５  凹溝
２６  係合孔
２７  下向片
２８  係合爪
２９  ガイド溝
３０  切欠溝
３１  突部
３２  開口
３３  カバー片
３３a 内向折曲片
３３b 垂下片
【図１】
2008194127.tif 000003
【図２】
2008194127.tif 000004
【図３】
2008194127.tif 000005
【図４】
2008194127.tif 000006
【図５】
2008194127.tif 000007
【図６】
2008194127.tif 000008